(57)【特許請求の範囲】
【請求項１】
接点エレメント（２）と支持エレメント（３）とを備えた電気接点であって、
前記接点エレメント（２）は、導電体への導電性接続のための接続部分（５）と、相手方の接点に接触するための、前記接続部分（５）に一体的に結合された接点保持部分（８）とを有しており、
前記支持エレメント（３）は、長手方向軸線（４）に沿って該支持エレメント（３）の少なくとも長さ部分において前記接点保持部分（８）を包囲すると共に、４つの壁部（１２，１３，１４，１５）によって画定された中空の矩形断面として形成されており、
前記支持エレメント（３）は、前記長手方向軸線（４）に沿って、前端部（１６）と、前記接続部分（５）に面する後端部（１７）とを有しており、
前記支持エレメント（３）は、前記前端部（１６）の近くに第１の突出部（１８）を有し、該第１の突出部（１８）は、前記長手方向軸線（４）からの距離が前記前端部（１６）から前記後端部（１７）に向かって増す第１の挿入部分（１９）と両側壁（２２）とを有すると共に、端縁部（２０）において終わっており、
前記支持エレメント（３）は、前記後端部（１７）の近くに第２の突出部（２３）を有し、該第２の突出部（２３）は、前記長手方向軸線（４）までの距離が前記長手方向軸線（４）に対して前記第１の突出部（１８）から離れる傾斜した形式で前記後端部（１７）に向かう方向に増す第２の挿入部分（２４）を有し、
前記第１の突出部（１８）及び前記第２の突出部（２３）は、前記４つの壁部（１２，１３，１４，１５）のうちの１つの壁部（１４）から、該第１の突出部（１８）及び該第２の突出部（２３）が前記１つの壁部（１４）から突出して前記長手方向軸線（４）から離れるように、非切断加工によって形成されており、
前記支持エレメント（３）の前記前端部（１６）には、中央に貫通開口（３０）を備えたキャップ部分（２９）があり、該キャップ部分（２９）は前記４つの壁部（１２，１３，１４，１５）のうちの１つの壁部（１２）と一体的に形成されている、
電気接点。
【発明の詳細な説明】
【技術分野】
【０００１】
本発明は、一体的に接続部分と接点保持部分とを有する、接点エレメントを備えた電気接点に関し、該接点保持部分は、相手方の接点に接続されるように作用する。接続部分は、例えば導電式に導電体を圧着することによって接続するように作用し、必要ならば、付加的に、導体を有するケーブルの絶縁部への保持結合を生ぜしめるように作用する。前記接点エレメントは、接点保持部分を有する部分において支持エレメントによって少なくとも部分的に包囲されており、この支持エレメントは、片持ちばねとも呼ばれ、例えば、接点エレメント自体よりも高い強度を有する材料、すなわち鋼から形成されている。このような支持エレメントは一般的に、薄板金から出発することによって、すなわち曲げ及び打ち抜き並びに点溶接による突合せ接合の材料結合又は溶接シームを生ぜしめることによって形成される。支持エレメントが接点エレメントを支持していることにより、例えば弾性的な舌片として設けられた接点保持部分に属する接点アームがしっかりと保持される。さらに、支持エレメントは接点をハウジングにしっかりと保持するように作用する。
【背景技術】
【０００２】
このような電気接点の多くは例えば、自動車において使用される接続部において、ワイヤハーネスにおいて、又は自動車の電気的に操作される機器エレメントを接続するために設けられている。このようなコネクタはハウジングを有しており、このハウジングにはしばしば複数の列を成して、互いに上下に位置した又は並置された収容チャンバが形成されており、これらの収容チャンバはそれぞれ電気接点を収容している。各収容チャンバに加えて、弾性的なアームの形式のロッキングエレメントが配置されており、このロッキングエレメントは、接点の対応する輪郭の背後における突出部及び特にその支持エレメントに当接し、これにより、接点はハウジングから引き出されないようにしっかりと保持されている。いわゆる二次的なロッキング手段が設けられることも多い。個々の接点に結合されたケーブルに引張り力が作用しても、電気接点はコネクタにしっかりと保持されるべきである。
【０００３】
さらに、使用分野によって、このようなコネクタのシーリングも重要である。なぜならば、例えば自動車のエンジン室内のような湿った環境が存在するからである。霧状の水分がこのようなコネクタの領域に入ることがある。この理由から個々の電気接点はシールされなければならない。このことは、個々の電気接点に対して特別なシールが配置され、このシールが電気接点のための収容チャンバの前に配置された対応する開口に位置することにより、達成されることができる。あるいは、接点がハウジングに挿入されるコネクタの端部にシールを設け、このシールが、全ての挿入開口の領域全体をカバーしており、個々のチャンバに整合した、個々の１つの接点エレメントのための対応する挿入開口を有することによっても達成することができる。通常、コネクタの収容チャンバへのシールの組み付けの後に、このような電気接点が挿入されるので、該電気接点は、シール、ひいては貫入の場所の損傷が回避されるように形成されなければならない。
【０００４】
特許文献１にはコネクタが記載されている。このコネクタのハウジングは複数の収容チャンバを有しており、これらの収容チャンバに個々にロッキングアームが配置されている。このロッキングアームは、一体的に形成された接点エレメントにある突出部に当接し、この突出部は多数の折畳みによって形成されている。この特許文献１は、接点エレメントのための二次的なロッキングを記載している。シールは設けられていない。
【０００５】
コネクタの収容チャンバに電気接点を固定するためのロッキングアームのための支持能力を突出部なしで提供する電気接点は、特許文献２並びに同様な特許文献３及び特許文献４に記載されている。
【０００６】
そこに示された電気接点は接点エレメントを有しており、この接点エレメントは、導電性接続を達成するためにケーブルと導体とを接続するための圧着タブの形式の接続部分を有している。接続部分に続いて、弾性的な接点アームを備えた接点保持部分が一体的に形成されている。該接点保持部分は、その断面に適応した支持エレメントによって包囲されている。この支持エレメントは、断面で中空の矩形を形成した４つの壁部を有しており、これら壁部のうち、上壁部は、該上壁部から打ち抜かれた舌片を有しており、ばねアームのうちの１つを支持するのに役立つ。上壁部に対する高さ距離のところに、別の壁部が設けられており、該別の壁部は、側壁部のうちの１つに一体的に結合されている。この別の壁部は、上壁部に対して平行に延びると共に、側壁部又は上壁部に対して下方へ曲げられた部分を有している。さらに、別の壁部は凹所を有しており、この凹所の、前端部に面した縁部は、コネクタにあるロッキングアームの突出部のための支持ベースとして作用する。これにより、比較的滑らかな面が形成され、この面は、このような接点をシールによって閉鎖されたコネクタのチャンバに挿入するときに、シールに損傷を生じないように作用する。しかしながら、支持エレメントは、製造するのが厄介であり、多層構造のため、すなわち、上壁部の上方に配置される別の壁部の付加的な配置のため、比較的大きな薄板金部分を必要とし、この薄板金部分から支持エレメントが曲げられる。製造コストも、また材料コストも対応して高い。断面は対応して大きい。
【０００７】
特許文献５には、コネクタに関連して使用するための電気接点が記載されており、この場合、接点エレメントは一体的に形成されている、すなわち、薄板金部分から形成された接続部分と、雌接点として形成された接点部分とを有している。この接点部分は、４つの壁部によって区切られた中空の矩形断面として提供されている。この場合、壁部の１つから、突出部の形式の保持肩部が形成されており、この保持肩部は縁部を有しており、この縁部に対して、コネクタに属するロッキングアームの突出部を当接させることができる。シールを損傷するという問題を回避するために、リブ状の案内エレメントが突出部に横方向に配置されており、この案内エレメントは、接点をシールの開口を通って挿入する場合に、損傷を回避するように開口を拡開させる。
【０００８】
【特許文献１】米国特許第５４７０２５８号明細書
【特許文献２】欧州特許第０９７１４４６号明細書
【特許文献３】米国特許第６１０２７５２号明細書
【特許文献４】ＤＥ６９９１０６９７Ｔ２
【特許文献５】独国実用新案第２００１３５７０号明細書
【発明の開示】
【発明が解決しようとする課題】
【０００９】
本発明は、二部構造の、すなわち接点エレメントと、該接点エレメントを包囲する支持エレメントとを備えた電気接点を提供するという目的に基づいており、これにより支持エレメントの材料費用の低減に加えて、簡単な方法で製造することができ、さらにコネクタの収容チャンバに保持するように作用するその接点エレメント及び支持エレメントが、コネクタとそのシールとに対する損傷が回避されるように形成される。
【課題を解決するための手段】
【００１０】
この目的は、本発明によれば、
接点エレメントと支持エレメントとを備えた電気接点であって、
前記接点エレメントは、導電体への導電性接続のための接続部分と、相手方の接点に接触するための、前記接続部分に一体的に結合された接点保持部分とを有しており、
前記支持エレメントは、長手方向軸線に沿って該支持エレメントの少なくとも長さ部分において前記接点保持部分を包囲すると共に、４つの壁部によって画定された中空の矩形断面として形成されており、
前記支持エレメントは、前記長手方向軸線に沿って、前端部と、前記接続部分に面する後端部とを有しており、
前記支持エレメントは、前記前端部の近くに第１の突出部を有し、該第１の突出部は、前記長手方向軸線からの距離が前記前端部から前記後端部に向かって増す第１の挿入部分と両側壁とを有すると共に、端縁部において終わっており、
前記支持エレメントは、前記後端部の近くに第２の突出部を有し、該第２の突出部は、前記長手方向軸線までの距離が前記長手方向軸線に対して前記第１の突出部から離れる傾斜した形式で前記後端部に向かう方向に増す第２の挿入部分を有し、
前記第１の突出部及び前記第２の突出部は、前記４つの壁部のうちの１つの壁部から、該第１の突出部及び該第２の突出部が前記１つの壁部から突出して前記長手方向軸線から離れるように、非切断加工によって形成されており、
前記支持エレメントの前記前端部には、中央に貫通開口を備えたキャップ部分があり、該キャップ部分は前記４つの壁部のうちの１つの壁部と一体的に形成されている、
電気接点によって達成される。
【００１１】
ここでの利点は、４つの壁部のうち１つが、元の場所（in situ 加工前の場所）に突出部を有しており、この突出部の縁部が、コネクタのロッキングアームのための支持ベースを形成するために使用されるということである。２つの突出部は元の場所に壁部から非切断加工によって形成されるので、滑らかな移行部が得られ、これにより、接点の組立て中、すなわち収容チャンバへの挿入中にシールを通過しなければならない場合に、シールの損傷が回避される。第２の突出部は、案内に加えて収容チャンバに対する有利な整合を行い、第１の突出部に支持されたロッキングアームに加えて、二次的なロッキング手段のための支持ベースとして使用されることができる。
【００１２】
概して、一般的に提供される４つの壁部のうちの１つのみが元の場所で突出部を形成するために使用されるので、支持エレメントの製造のために極めて少量の材料のみが必要であるという利点が達成される。挿入部分に背くように面した第１の突出部の端縁部は、対応する壁部から分離されているので、明確な輪郭を持った縁部が生ぜしめられ、この縁部は、第２の突出部に面しており、ロッキングアームの突出部のための支持ベースとして使用される。
【００１３】
特に有利な効果は、第１の突出部及び第２の突出部が、それらが配置された支持エレメントの壁部のベース材料から元の場所での非切断形成の後でさえも、側壁を介してこの壁部に結合されているのに対し、第１の突出部の端縁部は、壁部のベース材料から分離されており、コネクタのロッキングアームのための支持ベースとして作用するということによって得られる。
【００１４】
特に有利な実施形態は、支持エレメントの前端部が、４つの壁部のうちの１つと一体的に形成された、中央の貫通開口を備えたキャップ部分を有する場合に達成される。キャップ部分は、例えば１つ又は２つ以上の溶接スポットによって、材料結合形式で残りの壁部に結合されることができる。このキャップ部分は、４つの壁部によって形成された開断面の前端部を少なくとも部分的にカバーしている。キャップ部分は、柔軟な移行が達成されるように形成されることができる。中央の貫通開口は、例えば、コネクタピンがそこから出るように、または、該貫通開口が対応する接点のフラットコネクタピンのための入口開口として作用するように、使用されることができる。
【００１５】
このような電気接点を収容チャンバからシールを通って引き出す場合にシールが損傷を受けるのを回避するために、第２の突出部は後端部に向かって、長手方向軸線に向かって曲げられた壁部分を有している。このことは、二次的なロッキング手段のための良好な当接部も形成する。支持エレメントが、２つの突出部及びキャップ部分の非切断形成によって、最終形状に曲げることによって、及び必要ならば接合部における溶接箇所によって、薄板金部分から形成されるならば、製造の有利な可能性が達成される。
【００１６】
この場合、２つの突出部及びキャップ部分は、支持エレメントを形成する薄板金部分の一部から形成されるのが好ましく、支持エレメントは、突出部を有する壁部を形成することが予見される。
【００１７】
コネクタのロッキングアームにおける第１の突出部の有利な支持を行うために、第１の突出部は、第２の突出部に向かう方向に、開放部分を有している。この開放部分は、第１の突出部の製造中に、まずシート部分から線形切断の形式の分離が行われて、２つの突出部を有すると予見される壁部を形成し、次いで第１の突出部が非切断加工により形成されるようにして、実現される。これは、第１の突出部の形成が有利に行われることができ、同時にロッキングアームの支持のために好都合な縁部が形成される、という利点を有している。
【００１８】
本発明の参考例によると、接点エレメントと支持エレメントを備えた電気接点であって、
該接点エレメントは、導電体への導電性接続のための接続部分と、相手方接点と接触するための接続部分に一体的に結合された接点保持部分とを有しており、
該支持エレメントは、長手方向軸線に沿って少なくとも長さ部分において接点保持部分を包囲し、かつ、４つの壁部によって区切られた中空の矩形断面として形成され、長手方向軸線に沿って前端部及び後端部を有し、この後端部が接続部分に面しており、壁部のうちの１つにおいて、長手方向軸線に沿って延びた凹所を有し、この凹所が、前端部に向かって、長手方向軸線に対して横方向に延びた第１の縁部によって、及び第１の縁部に対して後端部に向かってずれている第２の縁部によって区切られ、第２の縁部には舌片が取り付けられ、この舌片は、まず長手方向軸線に向かって、次いで第１の縁部に向かって延びている、電気接点が提供される。
【００１９】
この参考例においても、最初の実施形態に関して述べたように、利点が達成される。最初の実施形態において、全体的に剛性の構造が得られるという利点が存在するのに対し、参考例における凹所は、限定的な弱体化を意味するが、この弱体化は、用途次第で許容可能なものである。
【００２０】
本発明の参考例において、支持エレメントの前端部は中央の貫通開口を備えたキャップ部分を有しており、このキャップ部分は、４つの壁部のうちの１つと一体的に形成されており、キャップ部分は、材料結合形式で、残りの壁部のうちの１つに、例えば溶接スポットによって、または同様の手段によって結合されることができる。
【００２１】
さらに、補強のため及び有利な当接縁部を形成するために、凹所を有する壁部は前端部及び／又は後端部において、長手方向軸線に向かって曲げられた壁部分を有している。
【００２２】
キャップ部分は、凹所を有する壁部とは異なる壁部と一体的に形成されていると有利である。また、キャップ部分が、例えば溶接などの材料結合形式によって、他の壁部にも結合されている場合、強度の著しい増大が概して達成され、これは、最初の実施形態におけるキャップ部分に対しても有効である。
【００２３】
好適には、電気接点は雌接点として形成されており、そのために、接点保持部分は弾性的な接点アームを有しており、これらの接点アームは、これらの間に、コネクタピン又はフラットコネクタピンとして形成された対応接点を収容する。本発明の参考例の場合、凹所の領域における接点アームの支持を改良するために、舌片は弾性的な接点アームのための当接部として作用する。
【００２４】
本発明による電気接点が、ミニチュア形式、すなわち、例えば、０．６４ｍｍの幅を有するコネクタピンの挿入のために雌接点が役立つような構造において使用されるのが好ましいものである点に注意すべきである。
【００２５】
本発明の最初の実施形態及び参考例が図面に概略的に示されている。
【００２６】
以下の説明において、電気接点１の最初の実施形態に関して、概して図１から図５までが参照される。
【発明を実施するための最良の形態】
【００２７】
電気接点１は、図５に個々のコンポーネントとして示された接点エレメント２と、図４に個々のコンポーネントとして示された支持エレメント３とからなり、支持エレメント３は、長手方向軸線４に沿って接点エレメント２を部分的な長さにわたり囲んでいる。
【００２８】
接点エレメント２は、導電性を有する薄板金材料から出発して、曲げによって形成される。接点エレメント２は、２つの第１の圧着タブによって形成されると共に、導電体を圧着によって接点エレメント２に接続するように作用する接続部分５を有する。さらに、図５によれば、２つの第２の圧着タブ６が、第１の圧着タブの形式の接続部分５の右側に設けられており、２つの第２の圧着タブ６は、長手方向軸線４に沿って導体を有するケーブルの絶縁体に圧着した後に相前後して配置されるように、長手方向軸線４に沿って互いにずらされている。第１の圧着タブ５及び第２の圧着タブ６は底部から始まっており、この底部は、第２の圧着タブ６から第１の圧着タブ５を超えて延び、中間部分７を形成しており、この中間部分７に続いて接点保持部分８が設けられている。接点保持部分８は、中間部分７に続く第１の部分において、中空の矩形の輪郭として形成されており、中間部分７とは反対の端部には、接点アーム９が取り付けられている。接点アーム９は、弾性的に形成されており、例えばフラットコネクタピンの形式のコネクタピンを収容すると共にこれに接触するように作用し、これにより、相手方の接点に属するこのフラットコネクタピンに、導電性の接続が生ぜしめられる。接点保持部分８は、中間部分７に面する端縁部１１で終わっている。中間部分７には、端縁部１１にすぐ続く２つの凹所１０が設けられており、これらの凹所は、曲げによって立ち上げられた中間部分７の壁部に形成されている。
【００２９】
接点エレメント２の接点保持部分８及び接点アーム９は支持エレメント３によって包囲されている。この支持エレメント３も、長手方向軸線４に対して横方向に中空の矩形断面を有している。この中空の矩形断面は、４つの壁部、すなわち、第１の壁部１２と、第１の壁部に直角に続いた第２の壁部１３と、第２の壁部に直角に続いた第３の壁部１４と、第３の壁部１４及び第１の壁部１２を結合した第４の壁部１５とによって包囲されている。支持エレメント３は、前端部１６及び後端部１７を有しており、この場合、端部という用語は絶対的な端部ではなく、端部領域又は端部部分である。
【００３０】
支持エレメント３は、対応するプレフォームを有する薄板金部分から出発して形成され、この場合、支持エレメント３は、接点エレメント２よりも高い強度を有する材料から形成されている。鋼、すなわち、特にばね特性を有しておりかつ腐食性ではない鋼が使用されるのが好ましい。支持エレメント３は、長手方向軸線４から離れて、第３の壁部１４を形成する薄板金部分のベース材料からの非切断加工によって形成された２つの突出部、すなわち、前端部１６に近い第１の突出部１８と、後端部１７に近い第２の突出部２３とを有している。第１の突出部１８は、まず、長手方向軸線４に対して横断方向に線形切断が行われ、矩形に曲げる前に、第１の突出部１８が押し出されることができるように第３の壁部１４を形成する薄板金部分から形成されている。この場合、前端部１６に向かい、斜面を形成した第１の挿入部分１９が形成され、長手方向軸線４までの該斜面の距離は、長手方向軸線４に沿って前端部１６から後端部１７に向かう方向に増大している、すなわち、該斜面は傾斜しながら延びている。形成中、第１の突出部１８は側壁２２を介して第３の壁部１４にも結合されたままであるが、後端部１７に面した第１の突出部１８の端部に端縁部２０が形成され、したがって、第３の壁部１４に向かって、開口２１、または開放部分２１が個々に形成される。
【００３１】
後端部１７の方には、第１の突出部１８に面して第２の挿入部分２４を有する第２の突出部２３が設けられている。第２の挿入部分２４は、第３の壁部１４から出発して傾斜式に後端部１７に向かって延びる、すなわち長手方向軸線４からの距離が増大しながら延びる、面部分として設けられており、該面部分は、長手方向軸線４に対してほぼ平行に延びるヘッド部分で終わっている。このヘッド部分は、後端部１７において、内方へ曲がった、すなわち長手方向軸線４に向かって曲がった端壁部２６で終わっている。第２の突出部２３の側壁２５は、第１の突出部１８の側壁のように、その形成後にも依然として第３の壁部１４に一体的に結合されている。
【００３２】
さらに、第２の壁部１３は、支持エレメント３のための薄板金部分の２つの部分から形成されており、これら２つの部分は互いに当接して、突合せ接合部２８を形成しており、この突合せ接合部は例えば１つ又は２つ以上の溶接スポットによって結合されることができる。これらの部分のうちの１つはタブ２７を形成しており、該タブは、接点エレメント２への支持エレメント３の組付け後、凹所１０に係合する共に中間部分７の立ち上げられた壁部分を包囲するように内方に曲げられるので、支持エレメント３の保持が長手方向軸線４に沿って接点エレメント２又は接点保持部分８において達成される。前端部１６に向かう方向では、タブ２７は、端縁部１１に支持され、そして反対方向では、凹所１０によって形成された中間部分７の縁部に支持される。
【００３３】
支持エレメント３の前端部は、中央に貫通開口３０を残したキャップ部分２９によって閉鎖されており、前記貫通開口を通って、例えばフラットコネクタピンが挿入されることができ、これにより、フラットコネクタピンを、支持エレメント３によって包囲された接点エレメント２の接点アーム９と接触させる。キャップ部分２９も、支持エレメント３を形成するために薄板金部分の部分を打ち抜き及び変形することによって製造される。キャップ部分２９も、壁部１２，１３，１４，１５のうちの１つを形成する薄板金部分の一部と一体的に形成されるのが好ましい。キャップ部分２９の、薄板金部分と一体に形成されていない残りの周囲縁部のうち、１つ、または２つ以上は、溶接シーム及びスポット溶接によって材料結合形式で、またはその他の手段によって機械的に、壁部に結合されることができる。
【００３４】
さらに、２つの突出部１８，２３は、長手方向軸線４に対して直角ではあるが、第３の壁部１４の中央から外れて、第３の壁部１４の一方の側にずれて配置されていることが分かる。この配置は、電気接点１を、該接点を収容しかつ対応する形状を有するコネクタハウジングの収容チャンバ内に正しい向きで挿入するために使用されることができる。
【００３５】
このようなコネクタは、湿った環境又は霧状の水にさらされた環境において使用される場合に、シールされなければならないので、接点エレメント２の組立て中に、同接点エレメント３はシールを通って挿入されなければならない。この挿入の際、２つの挿入部分１９，２４の延長と、挿入部分１９，２４それぞれに取り付けられた側壁２２，２５を備えた２つの突出部１８，２３の形状とのため、シールへの損傷は回避される。端縁部２０を備えた第１の突出部１８は、コネクタハウジングの対応する収容チャンバ内への電気接点１の挿入後、該コネクタハウジングの弾性的なロッキングアームの対応する支持面に支持される。これにより、電気接点１の引き抜きに関し、接続部分５及び第２の圧着タブ６に取り付けられたケーブルで引っ張る場合、後端部１７の方向での移動は不可能である。しかしながら、さらなる保持を達成するために、長手方向軸線４に対して横断方向に端壁部２６の背後のコネクタハウジングに挿入される二次的なロッキング手段がしばしば使用される。前端部１６に向かう方向では、コネクタハウジングの押し出しが概して回避されるが、その理由は、コネクタハウジングの対応する突出した壁部がキャップ部分２９に向き合って配置されているからである。さらに、ケーブルを介しては、実用上は押圧力が電気接点１に作用することができない。すなわち、接続されたケーブルにおける引張りによる引き出しに抗する保持が特に重要である。２つの突出部１８，２３は薄板金部分に形成されることができる。同じことがキャップ部分２９にも有効である。次いで、最終形状への曲げが行われるだけである。
【００３６】
本発明の参考例による第２の接点が図６〜図９に示されており、これらの図により詳細に説明する。この場合、図１〜図５の実施形態と比較して得られる相違点が特に詳細に説明される。図６〜図９の電気接点１０１における同じ部材又は同じ部分は、上述した実施形態の対応する部材及び部分と比較して、数値１００だけ増した参照符号を有する。これらの説明のために、図１〜図５に関する説明が参照される。
【００３７】
図６〜図９の接点エレメント１０２は、図１〜図５の接点エレメント２に相当する。しかしながら、支持エレメント１０３は支持エレメント３とは異なって形成されている。支持エレメント１０３も、長手方向軸線１０４に対して横断方向に中空の矩形断面を有している。支持エレメント１０３は４つの壁部１１２，１１３，１１４，１１５も有しているが、第４の壁部１１５と第３の壁部１１４との間には段部３６が形成されており、この段部は、相手方のコネクタハウジングにおける電気接点１０１の位置合わせのために使用される。
【００３８】
第４の壁部１１４は貫通開口を有している。すなわち、壁部１１４の一部は３つの側で分離されており、これにより、前端部１１６に向かって第１の縁部３２によって区切られた矩形の凹所３１が得られ、一方、後端部に向かって、第２の縁部３３が得られる。この縁部３３は、舌片３４によって形成されており、この舌片３４は、内方へ、すなわち長手方向軸線１０４に向かって延びており、これに続いて概して前端部１１６に向かって延びるように再び曲げられるが、明瞭に第１の縁部３２の手前で終わっている。さらに、舌片３４は、前端部１１６への方向において長手方向軸線１０４に向かって傾斜させられている。舌片３４は、過剰な曲げに抗して例えば接点アーム１０９のうちの１つを支持するために使用されることができる。前端部１１６及び後端部１１７で、第４の壁部１１４の領域において、壁部分３５は内方へ曲げられている。図８及び図９から、直角の二重曲げが行われていることが分かる。従って、一方では、補強が達成され、他方では、後端部１１７に向かって設けられた壁部分３５が、コネクタハウジングにおける電気接点１０１の二次的なロッキングのために挿入されることができるスライダのための当接部として働くことができる。
【００３９】
次に、本発明及び参考例に係る電気接点の特徴部分を説明する。
【００４０】
［１］  接点エレメント（２）と支持エレメント（３）とを備えた電気接点であって、
前記接点エレメント（２）は、導電体への導電性接続のための接続部分（５）と、相手方の接点に接触するための、前記接続部分（５）に一体的に結合された接点保持部分（８）とを有しており、
前記支持エレメント（３）は、長手方向軸線（４）に沿って該支持エレメント（３）の少なくとも長さ部分において前記接点保持部分（８）を包囲すると共に、４つの壁部（１２，１３，１４，１５）によって画定された中空の矩形断面として形成されており、
前記支持エレメント（３）は、前記長手方向軸線（４）に沿って、前端部（１６）と、前記接続部分（５）に面する後端部（１７）とを有しており、
前記支持エレメント（３）は、前記前端部（１６）の近くに第１の突出部（１８）を有し、該第１の突出部（１８）は、前記長手方向軸線（４）からの距離が前記前端部（１６）から前記後端部（１７）に向かって増す第１の挿入部分（１９）と両側壁（２２）とを有すると共に、端縁部（２０）において終わっており、
前記支持エレメント（３）は、前記後端部（１７）の近くに第２の突出部（２３）を有し、該第２の突出部（２３）は、前記長手方向軸線（４）までの距離が前記長手方向軸線（４）に対して前記第１の突出部（１８）から離れる傾斜した形式で前記後端部（１７）に向かう方向に増す第２の挿入部分（２４）を有し、
前記第１の突出部（１８）及び前記第２の突出部（２３）は、前記４つの壁部（１２，１３，１４，１５）のうちの１つの壁部（１４）から、該第１の突出部（１８）及び該第２の突出部（２３）が前記１つの壁部（１４）から突出して前記長手方向軸線（４）から離れるように、非切断加工によって形成されており、
前記支持エレメント（３）の前記前端部（１６）には、中央に貫通開口（３０）を備えたキャップ部分（２９）があり、該キャップ部分（２９）は前記４つの壁部（１２，１３，１４，１５）のうちの１つの壁部（１２）と一体的に形成されている、電気接点。
【００４１】
［２］  第１の突出部（１８）及び第２の突出部（２３）は、これらの突出部が配置された、支持エレメント（３）の壁部（１４）のベース材料からの元の場所での非切断形成の後でさえも、側壁（２２，２５）を介してこの壁部（１４）に結合されているのに対し、第１の突出部（１８）の端縁部（２０）は壁部（１４）のベース材料から分離されておりかつコネクタのロッキングアームのための支持ベースとして働くことを特徴とする上記［１］記載の電気接点。
【００４２】
［３］  キャップ部分（２９）が残りの壁部のうちの少なくとも１つと結合されていることを特徴とする上記［３］記載の電気接点。
【００４３】
［４］  第２の突出部（２３）が、後端部（１７）に向かって、長手方向軸線（４）に向かって曲がった端壁部（２６）を有していることを特徴とする上記［１］記載の電気接点。
【００４４】
［５］  支持エレメント（３）が、シート部分から、２つの突出部（１８，２３）及びキャップ部分（２９）を非切断形成することによって、及び最終形状に曲げることによって形成されることを特徴とする上記［１］から［４］のいずれか１つに記載の電気接点。
【００４５】
［６］  ２つの突出部（１８，２３）及びキャップ部分（２９）が、突出部（１８，２３）が提供されるべき壁部（１４）を形成した薄板金部分に形成されていることを特徴とする上記［６］記載の電気接点。
【００４６】
［７］  第１の突出部（１８）が、第２の突出部（２３）に向かって、開放部分（２１）を有することを特徴とする上記［２］記載の電気接点。
【００４７】
［８］  接点エレメント（１０２）と支持エレメント（１０３）を備えた電気接点（１０１）において、
該接点エレメント（１０２）が、導電体への導電性接続のための接続部分（１０５）と、相手方接点と接触するための接続部分（１０５）に一体的に結合された接点保持部分（１０８）とを有しており、
該支持エレメント（１０３）が、長手方向軸線（１０４）に沿って少なくとも長さ部分において接点保持部分（１０８）を包囲し、かつ、断面において４つの壁部（１１２，１１３，１１４，１１５）により区切られた中空の矩形として形成され、長手方向軸線（１０４）に沿って前端部（１１６）及び後端部（１１７）を有し、この後端部（１１７）が接続部分（１０５）に面しており、壁部（１１４）のうちの１つにおいて、長手方向軸線（１０４）に沿って延びた凹所（３１）を有し、この凹所（３１）が、前端部（１１６）に向かって、長手方向軸線（１０４）に対して横方向に延びた第１の縁部（３２）によって、及び第１の縁部（３２）に対して後端部（１１７）に向かってずれている第２の縁部（３３）によって区切られ、第２の縁部（３３）には舌片（３４）が取り付けられ、この舌片は、まず長手方向軸線（１０４）に向かって、次いで第１の縁部（３２）に向かって延びている電気接点。
【００４８】
［９］  支持エレメント（１０３）の前端部（１１６）が、中央に貫通開口（１３０）を備えたキャップ部分（１２９）を有しており、該キャップ部分（１２９）が４つの壁部（１１２，１１３，１１４，１１５）のうちの１つと一体的に形成されていることを特徴とする上記［８］記載の電気接点。
【００４９】
［１０］  キャップ部分（１２９）が材料結合によって残りの壁部のうちの少なくとも１つに結合されていることを特徴とする上記［９］記載の電気接点。
【００５０】
［１１］  凹所（３１）を有する壁部（１１４）が前端部（１１６）及び／又は後端部（１１７）において、長手方向軸線（１０４）に向かって曲がった壁部分（３５）を有することを特徴とする上記［８］記載の電気接点。
【００５１】
［１２］  キャップ部分（１２９）が、凹所（３１）を有する壁部（１１４）とは異なる壁部と一体的に形成されていることを特徴とする上記［９］記載の電気接点。
【００５２】
［１３］  接点保持部分（１０８）が弾性的な接点アーム（１０９）を有しており、該接点アームが、これらの接点アームの間に、コネクタピン又はフラットコネクタピンとして形成された相手方接点を収容することを特徴とする上記［１］又は［８］記載の電気接点。
【００５３】
［１４］  舌片（３４）が弾性的な接点アーム（１０９）のための当接部として働くことを特徴とする上記［８］又は［１３］記載の電気接点。
【図面の簡単な説明】
【００５４】
【図１】電気接点の実施形態の斜視図である。
【図２】別の斜視図における図１の電気接点である。
【図３】図１の電気接点の側面図である。
【図４】斜視図で示された、個々のコンポーネントとしての支持エレメントである。
【図５】斜視図で示された、個々のコンポーネントとしての接点エレメントである。
【図６】参考例の電気接点の斜視図である。
【図７】図６の電気接点を回転させた、別の斜視図である。
【図８】長手方向断面図における図６の電気接点の側面図である。
【図９】長手方向断面図における斜視形式での、個々の部分としての、図６〜図８の電気接点の支持エレメントである。
【符号の説明】
【００５５】
１，１０１    電気接点
２，１０２    接点エレメント
３，１０３    支持エレメント
４，１０４    長手方向軸線
５，１０５    接続部分／第１の圧着タブ
６，１０６    第２の圧着タブ
７，１０７    中間部分
８，１０８    接点保持部分
９，１０９    接点アーム
１０，１１０  凹所
１１，１１１  端縁部
１２，１１２  第１の壁部
１３，１１３  第２の壁部
１４，１１４  第３の壁部
１５，１１５  第４の壁部
１６，１１６  前端部
１７，１１７  後端部
１８          第１の突出部
１９          第１の挿入部分
２０          端縁部
２１          開口／開放部分
２２          側壁
２３          第２の突出部
２４          第２の挿入部分
２５          側部／側壁
２６          端壁部
２７，１２７  タブ
２８          突合せ接合部
２９，１２９  キャップ部分
３０，１３０  貫通開口
３１          凹所
３２          第１の縁部
３３          第２の縁部
３４          舌片
３５          壁部分
３６          段部
【図１】
0004372138.tif 000002
【図２】
0004372138.tif 000003
【図３】
0004372138.tif 000004
【図４】
0004372138.tif 000005
【図５】
0004372138.tif 000006
【図６】
0004372138.tif 000007
【図７】
0004372138.tif 000008
【図８】
0004372138.tif 000009
【図９】
0004372138.tif 000010